(57)【要約】【課題】視覚および嗅覚を刺激し、臨場感に満ちた画像鑑賞を可能とする画像印刷制御装置を提供すること。【解決手段】撮影された撮影画像の画像領域のうち、操作部１４０によって香り付けを希望する一部画像領域（例えば、花が存在する領域）をユーザが指定すると、これに応答して、香り付け領域設定部１１２が香り付け領域Ｒを設定し（Ｓ２）、その後、絵画風画像に変換し（Ｓ３）、印刷制御部１１４が撮影画像の画像領域の全体を記録媒体上に印刷材料にて印刷し、かつ、印刷制御部１１４が香り付け領域を香料にて印刷する（Ｓ４）。これによって、出来上がった印刷済みの絵画風画像のうち、花が存在する香り付け領域Ｒからのみ香りが発生することとなり、絵画風画像を視覚上だけでなく嗅覚上でも臨場感を持って楽しむことができる。【選択図】図４
2012245726.tif 000002
【特許請求の範囲】
【請求項１】
撮影画像または当該撮影画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、
前記一方の画像の画像領域を印刷材料にて印刷させるように制御する一方で、前記香り付け領域設定手段によって設定された香り付け領域を香料にて印刷させるように制御する印刷制御手段と、
を備えることを特徴とする画像印刷制御装置。
【請求項２】
撮影画像または当該撮影画像から変換された絵画風画像の一方の画像を印刷する画像印刷制御装置に用いられる画像印刷制御方法において、
前記一方の画像の画像領域のうち、香り付けを希望する一部画像領域がユーザ指定に基づいて指定されると、この指定された一部画像領域を香り付け領域として設定する香り付け領域設定ステップと、
前記一方の画像の画像領域を印刷材料にて印刷させるように制御する一方で、前記香り付け領域設定ステップによって設定された香り付け領域を香料にて印刷させるように制御する印刷制御ステップと、
を備えることを特徴とする画像印刷制御方法。
【請求項３】
撮影画像または当該撮影画像から変換された絵画風画像の一方の画像を表示させる表示制御手段と、
この表示制御手段の制御により表示されている画像の中に存在する香り発生対象の名称と色とが指定されると、この指定された香り発生対象の名称に対応する香りの種類と指定された香り発生対象の色に対応する香り付け領域とを設定する香り付け領域設定手段と、
前記表示制御手段の制御により表示されている画像の画像領域を印刷材料にて印刷させるように制御する一方で、前記香り付け領域設定手段によって設定された香り付け領域を当該香り付け領域設定手段によって設定された香料にて印刷させるように制御する印刷制御手段と、
を備えることを特徴とする画像印刷制御装置。
【請求項４】
撮影画像または当該撮影画像から変換された絵画風画像の一方の画像を印刷する画像印刷制御装置に用いられる画像印刷制御方法において、
前記一方の画像を表示させる表示制御ステップと、
この表示ステップにおいて表示されている画像の中に存在する香り発生対象の名称と色とが指定されると、この指定された香り発生対象の名称に対応する香りの種類と指定された香り発生対象の色に対応する香り付け領域とを設定する香り付け領域設定ステップと、
前記表示制御ステップにおいて表示されている画像の画像領域を印刷材料にて印刷させるように制御する一方で、前記香り付け領域設定ステップによって設定された香り付け領域を当該香り付け領域設定ステップによって設定された香料にて印刷させるように制御する印刷制御ステップと、
を備えることを特徴とする画像印刷制御方法。
【請求項５】
撮影画像の画像領域のうち、香り付けを希望する一部画像領域をユーザが指定可能な操作手段と、
前記操作手段によるユーザ指定に基づいて前記一部画像領域を香り付け領域として設定する香り付け領域設定手段と、
前記画像領域を印刷材料にて印刷させるように制御する一方で、前記香り付け領域設定手段によって設定された香り付け領域である前記一部画像領域を香料にて印刷させるように制御する印刷制御手段と、
を備えることを特徴とする画像印刷制御装置。
【請求項６】
撮影画像を絵画風画像に変換する絵画風変換処理手段と、
前記撮影画像または前記絵画風画像を表示させる表示制御手段とを備え、
前記表示制御手段によって表示された前記撮影画像または前記絵画風画像の画像領域のうち、香り付けを希望する一部画像領域をユーザが指定可能な操作手段と、
前記操作手段から指定された前記一部画像領域を香り付け領域として設定する香り付け領域設定手段と、
前記画像領域を印刷材料にて印刷させるように制御する一方で、前記香り付け領域設定手段によって設定された香り付け領域である前記一部画像領域を香料にて印刷させるように制御する印刷制御手段と、
を備えることを特徴とする画像印刷制御装置。
【請求項７】
前記操作手段は、前記表示制御手段の制御により表示された前記撮影画像または前記絵画風画像の中の一部を指示することによって前記一部画像領域の指定を行うように構成されていることを特徴とする請求項６に記載の画像印刷制御装置。
【請求項８】
前記操作手段は、前記表示制御手段の制御により表示された前記撮影画像または前記絵画風画像の中に含まれる色を指定するように構成され。
前記香り付け領域設定手段は、前記操作手段からの指定に基づいて前記色に対応する領域を香り付け領域として設定することを特徴とする請求項６または７に記載の画像印刷制御装置。
【請求項９】
前記印刷制御手段は、複数種の香り発生物に対応する香料を個別に印刷させるように構成され、
前記操作手段は、前記香り発生物を指定可能に構成され、
前記香り付け領域設定手段は、前記操作手段からの指定に基づいて前記香料の種類を設定することを特徴とする請求項８に記載の画像印刷制御装置。
【請求項１０】
コーティング剤を付着させるコーティング剤付着制御手段を備え、
前記コーティング剤付着制御手段は、香り付け領域に付着させた香料の上に前記コーティング剤を付着させることを特徴とする請求項１、３、５から９いずれか一項に記載の画像印刷制御装置。
【発明の詳細な説明】
【技術分野】
【０００１】
本発明は、香り付き画像を形成するための画像印刷制御装置および画像印刷制御方法に関するものである。
【背景技術】
【０００２】
従来、指定された香料を対象物に付着させる香り付着手段と、入力される画像情報に基づいてこの画像情報が鑑賞者に与える印象を検出する画像印象検出手段と、当該画像印象検出手段で検出した画像印象に対応する香りを、前記画像印象と香りとの対応を表す香印象情報に基づいて設定する香り設定手段と、前記香り設定手段で設定した香りを前記対象物に付着させるように前記香り付着手段を制御する制御手段を備えた香り付着装置が知られている（例えば、特許文献１参照）。
【先行技術文献】
【特許文献】
【０００３】
【特許文献１】特開２０００−６４４３号公報
【発明の概要】
【発明が解決しようとする課題】
【０００４】
しかしながら、特許文献１に記載の技術においては、画像印象によって画像全体が香り付けされてしまうため、却って、臨場感に乏しいものとなっていた。すなわち、画像中には、香り発生物（花等）と香り非発生物が混在していることも多く、この場合、香り非発生物からも香りが生じてしまうことから、実物からはかけ離れ、却って、臨場感に乏しいものとなる。
【０００５】
本発明は、かかる問題点を解消するためになされたもので、視覚および嗅覚を刺激し、臨場感に満ちた画像鑑賞を可能とする画像印刷制御装置および画像印刷制御方法を提供することを目的とするものである。
【課題を解決するための手段】
【０００６】
本発明に係る画像印刷制御装置は、
撮影画像または当該撮影画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、
前記一方の画像の画像領域を印刷材料にて印刷させるように制御する一方で、前記香り付け領域設定手段によって設定された香り付け領域を香料にて印刷させるように制御する印刷制御手段と、
を備えることを特徴とする画像印刷制御装置である。
【０００７】
また、本発明に係る他の画像印刷制御装置は、
撮影画像または当該撮影画像から変換された絵画風画像の一方の画像を表示させる表示制御手段と、
この表示制御手段の制御により表示されている画像の中に存在する香り発生対象の名称と色とが指定されると、この指定された香り発生対象の名称に対応する香りの種類と指定された香り発生対象の色に対応する香り付け領域とを設定する香り付け領域設定手段と、
前記表示制御手段の制御により表示されている画像の画像領域を印刷材料にて印刷させるように制御する一方で、前記香り付け領域設定手段によって設定された香り付け領域を当該香り付け領域設定手段によって設定された香料にて印刷させるように制御する印刷制御手段と、
を備えることを特徴とする画像印刷制御装置である。
【０００８】
また、本発明に係る画像印刷制御方法は、
撮影画像または当該撮影画像から変換された絵画風画像の一方の画像を印刷する画像印刷制御装置に用いられる画像印刷制御方法において、
前記一方の画像の画像領域のうち、香り付けを希望する一部画像領域がユーザ指定に基づいて指定されると、この指定された一部画像領域を香り付け領域として設定する香り付け領域設定ステップと、
前記一方の画像の画像領域を印刷材料にて印刷させるように制御する一方で、前記香り付け領域設定手段によって設定された香り付け領域を香料にて印刷させるように制御する印刷制御ステップと、
を備えることを特徴とする画像印刷制御方法である。
【０００９】
また、本発明に係る他の画像印刷制御方法は、
撮影画像または当該撮影画像から変換された絵画風画像の一方の画像を印刷する画像印刷制御装置に用いられる画像印刷制御方法において、
前記一方の画像を表示させる表示制御ステップと、
この表示ステップにおいて表示されている画像の中に存在する香り発生対象の名称と色とが指定されると、この指定された香り発生対象の名称に対応する香りの種類と指定された香り発生対象の色に対応する香り付け領域とを設定する香り付け領域設定ステップと、
前記表示制御ステップにおいて表示されている画像の画像領域を印刷材料にて印刷させるように制御する一方で、前記香り付け領域設定ステップによって設定された香り付け領域を当該香り付け領域設定手段によって設定された香料にて印刷させるように制御する印刷制御ステップと、
を備えることを特徴とする画像印刷制御方法である。
【発明の効果】
【００１０】
本発明によれば、画像の画像領域のうち、香り付けしたい一部の画像領域を指定すると、その指定に基づいて、香り付け対象となった香り付け領域を設定した上で、画像全体を印刷材料にて印刷させることができると共に、香り付け領域を香料にて印刷させることができる。
また、本発明によれば、表示されている画像の中に存在する香り発生対象の名称（例・バラ、獣名）と色（例：ばら色、獣の色）とが指定されると、この指定された香り発生対象の名称に対応する香りの種類と指定された香り発生対象の色に対応する香り付け領域とを設定した上で、表示されている画像の画像領域を印刷材料にて印刷させることができる一方で、設定された香り付け領域を香料にて印刷させることができる。
このために、出来上がった画像全体からでなく、当該画像の一部からのみ香りが発生することとなり、画像を視覚上だけでなく嗅覚上でも臨場感を持って楽しむことができる。
【図面の簡単な説明】
【００１１】
【図１】第１の実施形態に係る画像印刷制御装置の構成を示すブロック図である。
【図２】図１中の印刷部の構成を示すブロック図である。
【図３】図２の印刷部における印刷用ヘッドの構成を示す図である。
【図４】図１における画像印刷制御装置の香り付き絵画風画像印刷処理を示すフローチャートである。
【図５】図４のフローチャートにおける香り付け対象設定処理を示すフローチャートである。
【図６】図４のフローチャートにおける絵画風変換処理を示すフローチャートである。
【図７】図４のフローチャートにおける画像印刷処理を示すフローチャートである。
【図８】図１中の画像印刷制御装置におけるＲＡＭの構成を示す図である。
【図９】香り付け対象設定処理のステップＳ２１での表示画面を示す図である。
【図１０】香り付け対象設定処理のステップＳ２２での表示画面を示す図である。
【図１１】絵画風変換処理のステップＳ３１での表示画面を示す図である。
【図１２】絵画風変換処理のステップＳ３２での表示画面を示す図である。
【図１３】画像印刷処理のステップＳ４１での表示画面を示す図である。
【図１４】画像印刷処理のステップＳ４４での表示画面を示す図である。
【図１５】印刷された絵画風画像とスクラッチ操作後の香りの発生状態の表示画面を示す図である。
【図１６】第２の実施形態に係る画像印刷制御装置の香り付け対象設定処理を示すフローチャートである。
【図１７】香り付け対象設定処理のステップＳ１２１での表示画面を示す図である。
【図１８】香り付け対象設定処理のステップＳ１２２での表示画面を示す図である。
【図１９】香り付け対象設定処理のステップＳ１２２での確認画面を示す図である。
【図２０】出来上がった画像を示す図である。
【発明を実施するための形態】
【００１２】
［第１の実施の形態］
図１から図１５を参照しつつ、本発明に係る画像印刷制御装置の第１の実施形態について説明する。
【００１３】
本実施形態の画像印刷制御装置１００には、図１に示すように、印刷部１０、表示部３０および撮影部４０が接続されている。
なお、画像印刷制御装置１００は、印刷部１０および表示部３０と一体となりプリンタ装置を構成していてもよい。また、画像印刷制御装置１００は、表示部３０および撮影部４０と一体となりカメラを構成していてもよい。
【００１４】
まず、上記印刷部１０について説明する。
上記印刷部１０は、紙等の記録媒体の上に画像を印刷するための印刷手段である。この印刷部１０は、図２に示すように、印刷用ヘッド１１と、インクを貯留するインクカートリッジ１２と、インクカートリッジ１２に貯留されたインクを印刷用ヘッド１１に供給するインク供給部１３と、上記印刷用ヘッド１１を移動させるためのヘッド移動部１4と、光照射部１５とを有している。
このうち印刷用ヘッド１１は、紙等の記録媒体に向けてインクを吐出するためのものであり、この印刷用ヘッド１１としては、インクを微滴化し、記録媒体に対し直接に吹き付けて印刷を行うインクジェット方式の印刷用ヘッドが使用されている。なお、この印刷用ヘッド１１として、インクジェット方式の印刷用ヘッドに代えて、熱転写方式の印刷用ヘッドを使用してもよいことは勿論である。
また、印刷部１０は、図３に示すように、この印刷用ヘッド１１として、基本色インクを吐出する基本色インク用ヘッド１１ａと、香料を吐出する香料用ヘッド１１ｂと、コーティング剤を吐出するコーティング剤用ヘッド１１ｃとを有している。
なお、以下の説明で、単に「印刷用ヘッド１１」と言うときは、基本色インク用ヘッド１１ａ、香料用ヘッド１１ｂおよびコーティング剤用ヘッド１１ｃの全てを含むものとする。
【００１５】
上記基本色インク用ヘッド１１ａは５つ設けられている。この５つの基本色インク用ヘッド１１ａはイエロー（Ｙ）、マゼンタ（Ｍ）、シアン（Ｃ）、ブラック（Ｋ）、ホワイト（Ｗ）のインクを個別に吐出するものである。そこで、この５つの基本色インク用ヘッド１１ａは、イエロー（Ｙ）、マゼンタ（Ｍ）、シアン（Ｃ）、ブラック（Ｋ）、ホワイト（Ｗ）のインクを個別に貯留する基本色インク用カートリッジに接続されている。図２においては、この基本色インク用カートリッジと、後述の香料用カートリッジおよびコーティング剤用カートリッジは便宜上１つのカートリッジ１２として示してある。
なお、基本色インク用ヘッド１１ａおよび基本色インク用カートリッジの種類や数は５つに限定されない。ここに挙げた５つの色以外の基本色インクに対応した基本色インク用ヘッド１１ａおよび基本色インク用カートリッジが設けられていてもよいし、例えば、ブラック（Ｋ）やホワイト（Ｗ）の基本色インク用ヘッド１１ａおよび基本色インク用カートリッジを備えない構成としてもよい。
【００１６】
また、上記香料用ヘッド１１ｂは少なくとも1つ設けられている。そして、香料用ヘッド１１ｂは、香料を貯留する香料用カートリッジに接続されている。この香料用カートリッジとして、互いに異なる香料を個別に貯留する複数の香料用カートリッジを設けることが好ましい。
この場合の香料は、芳香性を有する物質であればよく、特に限定されない。この香料としては、例えば、イランイラン、クラリセージ、グレープフルーツ、サイプレス、サンダルウッド、ジャスミン、ジュニパー、スイートオレンジ、スイートフェンエル、ゼラニウム、ティートリー、ネロリ、バジル、パチュリー、フランキンセンス、ペパーミント、ベルガモット、マージョラム、ユーカリ、ラベンダー、レモン、ローズ、ローズウッド、ローズマリー、カモミール、オレガノ、オレンジ、キャロットシード、エバーラスティング、ラベンダー、シダーツリー、シトロネラ、ベリー、セイボリー、セージ、タイム、タラゴン、タンジェリン、ディル、パインシルべスタ、ヒソップ、ミントアルベンシス、ライム、ラバンジン、レモングラス等の植物性香料、ムスク、シベット、カストリウム、アンバーグリス等の動物性香料、消臭用香料等が挙げられる。
なお、これらは、香料単独で用いてもよいし、ポリマーあるいはオリゴマーと混合して用いてもよい。また、ホホバオイル、スイートアーモンドオイル、グレープシードオイル、小麦胚芽オイル、オリーブオイル等、各種オイルと混合して用いてもよい。
【００１７】
また、コーティング剤用ヘッド１１ｃは１つ設けられている。そして、このコーティング剤用ヘッド１１ｃは、コーティング剤を貯留するコーティング剤用カートリッジに接続されている。
このコーティング剤は、例えば紫外線等の光（活性エネルギー線）を照射することにより硬化、乾燥するジェルインクであり、即乾性、即硬化性に優れるものである。なお、コーティング剤は、スクラッチ可能で且つ透明なものであることが好ましいが、剥離可能で透明なものであってもよい。
例えば、紫外線硬化型樹脂としては、メタクリレート、アクリレート（特にウレタンアクリレート、エポキシアクリレート、アクリルアクリレ−ト）、不飽和ポリエステル、エポキシ樹脂、オキセタン樹脂等が挙げられる。これらは、モノマーおよび／又はオリゴマーの状態のものを使用すればよい。
【００１８】
上記光照射部１５は、コーティング剤用ヘッドから吐出されたコーティング剤を硬化させるための紫外線を照射する光照射手段である。この光照射部１５は、例えば半導体発光素子（ＬＥＤ；light emitting diode  発光ダイオード）や紫外線ランプであり、例えば３５０ｎｍ程度の波長の紫外線を照射するようになっている。
【００１９】
次に、上記表示部３０について説明する。
この表示部３０は、例えば液晶パネル（液晶ディスプレイ（ＬＣＤ：Liquid Crystal Display））等で構成され、印刷制御処理を行う際等に各種表示を行う表示手段である。この表示部３０は液晶パネルで構成されるものに限定されず、例えば有機ＥＬディスプレイ等であってもよい。
なお、表示部３０の表面に、タッチパネルが一体的に構成されていてもよい。この場合には、スタイラスペンや指先等により表示部３０の表面をタッチすることによって各種の入力を行うことができる。つまり、この場合には、表示部３０も後述の操作部１４０と同様の機能を備えることになる。
【００２０】
次に、上記撮影部４０について説明する。
この撮影部４０は、風景等の撮影画像を取り込む撮像手段である。
【００２１】
次に、画像印刷制御装置１００について説明する。
この画像印刷制御装置１００は、図１に示すように、ＣＰＵ（Central Processing Unit）等によって構成されている制御部１１０と、記憶手段としてのＲＯＭ（Read Only Memory）１２０およびＲＡＭ１３０（Random Access Memory）と、操作部１４０とを備えている。なお、記憶手段は、画像印刷制御装置１００内のＲＯＭ１２０、ＲＡＭ１３０に限定されず、画像印刷制御装置１００の他に設けられた記憶手段であってもよい。
【００２２】
この画像印刷制御装置１００の制御部１１０は、機能的に見た場合、撮影制御部１１１、香り付け領域設定部１１２、絵画風変換処理部１１３、印刷制御部１１４および表示制御部１１５を有している。これら撮影制御部１１１、香り付け領域設定部１１２、絵画風変換処理部１１３、印刷制御部１１４および表示制御部１１５としての機能は、ＣＰＵとＲＯＭ１２０に記憶されたプログラムとの共働によって実現される。
【００２３】
ここで、上記撮影制御部１１１は、撮像部４０から撮影画像を取り込んでＲＡＭ１３０に記憶させる撮影処理手段である。この場合、撮影制御部１１１は、撮影画像のカラー情報もＲＡＭ１３０に同時に記憶させる。
【００２４】
また、上記香り付け領域設定部１１２は、撮影画像の中で香り付けをする領域を設定する香り付け設定手段である。この香り付け領域の設定は、ユーザが操作部１４０を操作することによって指定した一部画像領域についてなされる。そして、この香り付け領域設定部１１２は、香り付け領域を撮影画像と対応付けて、ＲＡＭ１３０に記憶させる。なお、互いに異なる複数の香りが用意されている場合には、香り付け領域設定部１１２は、ユーザの操作部１４０の操作によって指定された香りをも香り付け領域に対応付けて、ＲＡＭ１３０に記憶させる。
【００２５】
また、上記絵画風変換処理部１１３は、撮影画像を絵画風画像に変換し、当該絵画風画像を上記香り付け領域に対応付けてＲＡＭ１３０に記憶させる絵画風変換処理手段である。ここで、絵画風画像とは、印刷によって形成される油彩画風画像、水彩画風画像、鉛筆画風画像および版画風画像等の各種の画像を含む概念である。この実施形態では、絵画風画像の種類は一義的に決定されることとしているが、ユーザの種類指定によって任意の絵画風画像を選択できるようにしてもよい。
【００２６】
また、上記印刷制御部１１４は、印刷用ヘッド１１、インク供給部１３、ヘッド移動部１４および光照射部１５の動作制御を行う印刷制御手段である。
【００２７】
また、上記表示制御部１１５は、表示手段としての表示部３０に各種の表示をさせる表示制御手段である。本実施形態では、表示制御部１１５は、例えば画像や各種の案内画面や指示画面等を表示部３０に表示させる。
【００２８】
また、記憶手段としてのＲＯＭ１２０には、撮影処理プログラム、香り付け領域設定プログラム、絵画風変換プログラム、印刷制御処理プログラム等の各種プログラム、香料の種類を示すデータ、インクの種類等のデータが記憶されている。
【００２９】
また、記憶手段としてのＲＡＭ１３０は、各種データ等を記憶する記憶領域と、制御部１１０が各種処理を行う際に使用される作業領域（図示せず）とを備えている。
【００３０】
また、上記操作部１４０は、ユーザが各種入力操作を行うための入力手段である。この操作部１４０として、カーソルキー、文字キー、決定キー等が設けられている。
【００３１】
次に、上記画像印刷制御装置１００による香り付き絵画風画像印刷処理について、図４から図７のフローチャートと、図８から図１５とに基づいて説明する。
【００３２】
図４は、画像印刷制御装置１００による香り付き絵画風画像印刷処理のメインフローを示している。
この香り付き絵画風画像印刷処理では、まず、画像印刷制御装置１００は撮影処理を実行する（ステップＳ１）。このステップＳ１では、撮影制御部１１１は、撮像部４０からの撮影画像を順次にＲＡＭ１３０に記憶させる。例えば、ＲＡＭ１３０の第１記憶部１３１に撮影画像を順次に記憶させた例が図８に示されている。この場合、撮影制御部１１１は撮影画像をＲＡＭ１３０に記憶させるにあたって、カラー情報も同時に記憶させる。
【００３３】
次に、画像印刷制御装置１００は香り付け対象設定処理を実行する（ステップＳ２）。
このステップＳ２においては、図５に示すように、表示制御部１１５は、ＲＡＭ１３０に記憶されている複数の撮影画像を表示部３０に順次に表示させる。このとき、表示制御部１１５は、図９に示すように、「複数の撮影画像の中から香りを付けたい香り付け対象画像を指定して下さい。」の指示の案内メッセージも同時に表示部３０に表示させる。この指示に従って、ユーザが操作部１４０を操作して複数の撮影画像の中から１つの撮影画像を指定すると、その指定に従って、香り付け領域設定部１１１は当該撮影画像を香り付け対象画像として設定し、表示制御部１１５は、図９に示すように、当該香り付け対象画像を表示部３０に表示させる（ステップＳ２１）。
次に、表示制御部１１５は、図１０に示すように、「香り付け領域を指定して下さい。」の指示の案内メッセージを表示部３０に表示させる。この指示に従って、ユーザが香り付け領域を指定すると、その指定に従って、香り付け領域設定部１１１が香り付け領域を設定する（ステップＳ２２）。この場合の香り付け領域の指定は、例えば表示画面上の香り付けしたい領域に指でタッチするか、表示画面上でカーソルを動作させ決定キーを押圧することによって行われる。
それから、香り付け領域設定部１１１は、香り付け対象画像に対応付けてこの香り付け領域をＲＡＭ１３０に記憶させる（ステップＳ２３）。例えば、ＲＡＭ１３０の第２記憶部１３２に、香り付け対象画像に対応付けて香り付け領域を順次に記憶させた例が図８に示されている。
なお、複数の香りが用意されている場合には、「香りの種類を指定して下さい。」等の指示を表示すると共に香りの選択肢を表示し、ユーザが操作部１４０等を操作して香りの種類を指定することができるようにしてもよい。また、香り付け領域の指定は複数に亘ってすることができるようにしてもよい。
以上の香り付け対象設定処理は、このステップＳ２１〜Ｓ２３までの処理を繰り返し行うことによって、複数の撮影画像または複数の画面領域について連続的に行うことができる。この場合、連続的に香り付け対象設定処理を行うか、それとも香り付け対象設定処理を終了するかの催促画面がその都度表示される。
【００３４】
次に、ユーザの操作部１４０の操作に基づいて香り付け対象設定処理を終了すると、図４のフローに戻り、画像印刷制御装置１００は絵画風変換処理を実行する（ステップＳ３）。
【００３５】
このステップＳ３においては、図６に示すように、表示制御部１１５は香り付け対象画像をＲＡＭ１３０から読み出して表示部３０に順次に表示させる。このとき、表示制御部１１５は、図１１に示すように、「香り付け対象画像の中から絵画風に変換したい変換対象画像を指定して下さい。」の案内メッセージも同時に表示させる。この指示に従って、ユーザが操作部１４０を操作して絵画風画像に変換したい１つの香り付け対象画像を指定すると、絵画風変換処理部１１３は当該香り付け対象画像を変換対象画像として設定し、表示制御部１１５は表示部３０に当該変換対象画像を表示させる（ステップＳ３１）。
次に、絵画風変換処理部１１３は、当該変換対象画像を絵画風画像に変換し（ステップＳ３２）、当該絵画風画像を香り付け領域に対応付けてＲＡＭ１３０に記憶させる（ステップＳ３３）。例えば、ＲＡＭ１３０の第３記憶部１３４に絵画風画像を香り付け領域に対応付けて順次に記憶させた例が図８に示されている。この場合、絵画風変換処理部１１３は絵画風画像をＲＡＭ１３０に記憶させるにあたって、カラー情報も同時に記憶させる。なお、この場合、表示制御部１１５は、図１２に示すように、絵画風画像を表示部３０に表示させると共に、「撮影画像（香り付け画像）が絵画風画像に変換されました。」との画像変換された旨の案内メッセージを表示する。
なお、この絵画風変換処理は画像中の一部で行ってもよい。
以上の絵画風変換処理は、このステップＳ３１〜Ｓ３３までの処理を繰り返し行うことによって、複数の画像について連続的に行うことができる。この場合、連続的に絵画風変換処理を行うか、それとも絵画風変換処理を終了するかの催促画面がその都度表示される。
【００３６】
次に、ユーザの操作部１４０の操作に基づいて絵画風変換処理を終了すると、図４のフローチャートに戻り、画像印刷制御装置１００は画像・香り・コーティング剤印刷処理を実行する（ステップＳ４）。
【００３７】
このステップＳ４においては、表示制御部１１５は絵画風画像をＲＡＭ１３０から読み出して表示部３０に順次に表示させる。このとき、表示制御部１１５は、図１３に示すように、「複数の絵画風画像の中から印刷したい印刷対象画像を指定して下さい。」の指示メッセージも同時に表示させる。この指示に従って、ユーザが操作部１４０を操作して絵画風画像の１つを指定すると、印刷制御部１１４は当該絵画風画像を印刷対象画像として設定し、表示制御部１１５は当該印刷対象画像を表示する（ステップＳ４１）。また、画像印刷制御装置１００はこの印刷対象画像をＲＡＭ１３０に記憶させる。例えば、ＲＡＭ１３０の第４記憶部１３４に撮影画像を順次に記憶させた例が図８に示されている。
次に、印刷制御部１１４は、基本色インク用ヘッド１１ａを制御して印刷対象画像全体を記憶媒体Ｐの上に印刷させる一方で、香料用ヘッド１１ｂを制御して香料を香り付け領域Ｒの上に印刷によって付着させる（ステップＳ４２）。その後、印刷制御部１１４は、コーティング剤用ヘッド１１ｃを制御してコーティング剤を少なくとも香り付け領域を覆うように印刷によって付着させる（ステップＳ４３）。その後、表示制御部１１５は、印刷対象画像と共に「香り付き絵画風画像が印刷されました。」との案内メッセージと、「香り鑑賞の際には香り付け領域をスクラッチした下さい。」との案内メッセージを表示させる（図１４、ステップＳ４４）。
【００３８】
以上のようにして、香り付き絵画風画像印刷処理を終了する。
図１５には、印刷後の香り付き絵画風画像Ｐが示されている。この香り付き絵画風画像Ｐは、香り付け領域Ｒをスクラッチすることによって、コーティング層が破壊され、当該香り付け領域Ｒから香りが発せられる。
【００３９】
このように構成された画像印刷制御装置１００によれば、次のような効果が得られる。
すなわち、本画像印刷制御装置１００によれば、操作部１４０によって香り付けしたい一部画像領域を指定すると、その指定に基づいて、香り付け領域設定部１１２が香り付け領域を設定し、印刷制御部１１４が画像を印刷させると共に、香料付着制御部である印刷制御部１１４が香り付け領域に香料を付着して印刷させるので、印刷後の出来上がった画像の一部からのみ香りが発生することとなり、画像を視覚上だけでなく嗅覚上でも臨場感を持って楽しむことができる。
【００４０】
また、出来上がった画像は、この実施の形態の場合、絵画風画像であるので、撮影画像に比べて、幻想的な感覚が醸し出されることになる。
【００４１】
さらに、変換表示部３０に表示された撮影画像の中で領域を指示することによって香り付け領域を指定するので、香り付け領域の指定が簡単に行えることになる。
【００４２】
また、香り付け領域に香り付けをした後に、当該香り付け領域にコーティング剤を付着させ、コーティング膜をスクラッチすることにより、香りを楽しむようになっているので、長期間、香りを楽しむことができる。
【００４３】
［第２の実施形態］
この第２の実施形態においても、香り付き絵画風画像印刷処理は図４のメインフローに従って行われる。しかしながら、この第２の実施形態は、図４の香り付け対象設定処理（ステップＳ２）の中身が第１の実施形態のそれと異なっている。
【００４４】
この第２の実施形態においては、ステップＳ２の香り付け対象設定処理にあたり、図１６に示すように、表示制御部１１５は、ＲＡＭ１３０に記憶されている複数の撮影画像を表示部３０に順次に表示させる。このとき、表示制御部１１５は「複数の撮影画像の中から香りを付けたい香り付け対象画像を指定して下さい。」の指示メッセージも同時に表示部３０に表示させる（図１７）。この指示に従って、ユーザが操作部１４０を操作して１つの撮影画像を指定すると、その指定に従って、香り付け領域設定部１１１は当該撮影画像を香り付け対象画像として設定し、表示制御部１１５は当該香り付け対象画像を表示部３０に表示させる（ステップＳ１２１）。
このステップＳ１２１の処理は第１の実施形態のステップＳ２１の処理と同様である。
しかしながら、この第２の実施形態においては、次のステップＳ１２２で、表示制御部１１５は、当該撮影画像と共に、または当該撮影画像に代えて、花の種類および色の指定画面を表示部３０に表示させる。
図１８はその指定画面の一例を示している。
この指定画面には、「バラ」、「チューリップ」および「芝桜」のように花の種類が名前で表示されている。また、その指定画面の右横には「赤色」、「白色」、「ピンク色」および「青色」の文字が表示されている。そこで、ユーザは、ステップＳ１２２の中のステップＳ１２２Ａで花の種類と色とを指定する。
同図では、「芝桜」で「ピンク色」を指定した例が示されている。その後、表示制御部１１５は、ステップＳ１２２Ｂにおいて図１９に示すような確認画面を表示させる。
確認画面を表示した状態のもとで、決定キーを指定すると、香り付け領域設定部１１１は、ユーザが指定・確認した花の種類に従って香料の種類を設定し、ユーザが指定・確認した花の色に従って香り付け領域を設定し、それをＲＡＭ１３０に記憶させる（ステップＳ１２２Ｃ）。この場合、香り付け領域設定部１１１は、ユーザが花の種類を指定すると、指定された花の種類に基づいて当該花の種類と対応する香料を設定する。
手法としては、例えば、花の種類が「バラ」と指定されたならば、この指定された花の種類の「バラ」の香りを設定する。
また、ユーザが花の色を指定すると、撮影画像に含まれるカラー情報に基づいて当該花の色と同じ色部分を香り付け領域として設定する。
手法としては、例えば、単位面積あたりで、指定した花の色と同じ色部分のドット数をカウントし、その数が所定の閾値以上の場合に当該領域を香り付け領域とする。
以上の香り付け対象設定処理は、このステップＳ１２１〜Ｓ１２２までの処理を繰り返し行うことによって、複数の撮影画像について連続的に行うことができる。この場合、連続的に香り付け対象設定処理を行うか、それとも香り付け対象設定処理を終了するかの催促画面がその都度表示される。
そして、ユーザの操作部１４０の操作に基づいて香り付け対象設定処理が終了する。
次に、前述した第１の実施の形態の場合と同様に、画像・香り・コーティング剤印刷処理を実行する（ステップＳ１２３）。
すなわち、印刷制御部１１４は、基本色インク用ヘッド１１ａを制御して印刷対象画像全体を記憶媒体Ｐの上に印刷させる一方で、香料用ヘッド１１ｂを制御して香料を香り付け領域Ｒの上に印刷によって付着させる（ステップＳ４２参照）。その後、印刷制御部１１４は、コーティング剤用ヘッド１１ｃを制御してコーティング剤を少なくとも香り付け領域を覆うように印刷によって付着させる（ステップＳ４３参照）。その後、表示制御部１１５は、印刷対象画像と共に「香り付き絵画風画像が印刷されました。」との案内メッセージと、「香り鑑賞の際には香り付け領域をスクラッチして下さい。」との案内メッセージを表示させる（図１４、ステップＳ４４参照）。
図２０には、印刷後の香り付き絵画風画像Ｐが示されている。この香り付き絵画風画像Ｐは、香り付け領域Ｒをスクラッチすることによって、コーティング層が破壊され、当該香り付け領域Ｒから香りが発せられる。
【００４５】
このように構成された画像印刷制御装置１００によれば、次のような効果が得られる。
すなわち、花の種類である名前と色とを指定することによって、指定された花の名前に対応した香りの種類と花の色に対応した香り付け領域とが自動的に選択されるので、その指定が容易となる。このために、ユーザーは、花の種類である名前と花の色とを指定するのみで、香り付け領域を指定することなく、指定された花の色に対応した香り付け領域からのみ、指定された花の名前に対応した香りを楽しむことができる。
【００４６】
以上本発明のいくつかの実施形態を説明したが、本発明の範囲は、上述の実施の形態に限定するものではなく、特許請求の範囲に記載された発明の範囲とその均等の範囲を含む。
例えば、上記実施形態では、１つの香り付けをする場合について説明したが、画面中の２カ所以上の領域に同じあるいは異なる香り付けをすることもできることはもちろんである。
【００４７】
また、上記実施形態では、印刷制御部１１４が香料付着制御部（香料付着制御手段）およびコーティング剤付着制御部（コーティング剤付着制御手段）を兼ね、印刷部１０が香料付着部（香料付着手段）およびコーティング材付着部（香料付着手段）を兼ねていたが、印刷制御部１１４とは別に香料付着制御部およびコーティング剤付着制御部を設けると共に、印刷部１０とは別に香料付着部およびコーティング材付着部を設けてもよい。
【００４８】
また、上記実施形態では、印刷制御部１１４がコーティング剤用ヘッド１１ｃを制御してコーティング剤を少なくとも香り付け領域を覆うように印刷によって付着させ、香り付け領域Ｒをスクラッチすることによって、コーティング層が破壊され、当該香り付け領域Ｒから香りが発せられるようにしているが、香り付け領域Ｒから香りが所定時間継続されるのみで足りると考える場合は、コーティング剤を香り付け領域を覆うように印刷によって付着させなくともよい。
【００４９】
また、上記実施形態では、絵画風画像の一部画像領域に香り付けをしたが、撮影画像の一部画像領域をユーザが指定し、香り付け領域設定部１１２がその一部画像領域を香り付け領域として設定し、印刷制御部１１４が撮影画像を印刷し、その際、香り付け領域に香り付けの印刷を行わせるようにしてもよい。その際に、撮影画像の中に含まれる色を指定することにより、香り付け領域設定部１１２が撮影画像の中の前記色に対応する領域を香り付け領域として設定するように構成してもよい。
【００５０】
また、印刷制御部１１４が印刷部１０を制御して複数種の香り発生物に対応する香料を個別に印刷させるように構成され、操作部１４０で香り発生物を指定することで、香り付け領域設定部１１２が香りの種類を設定するように構成してもよい。この場合の香り発生物は花に限定されるものではない。この香り発生物には、例えば、香りがある動植物は勿論のこと、お菓子その他、香りがあるもの一般が含まれる。
【００５１】
また、上記実施形態では、絵画風画像への変換前の撮影画像の段階で香り付け対象設定処理を行ったが、絵画風画像へ変換した後に香り付け対象設定処理を行ってもよい。
【００５２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮影画像または当該撮影画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、
前記一方の画像の画像領域を印刷材料にて印刷させるように制御する一方で、前記香り付け領域設定手段によって設定された香り付け領域を香料にて印刷させるように制御する印刷制御手段と、
を備えることを特徴とする画像印刷制御装置。
＜請求項２＞
撮影画像または当該撮影画像から変換された絵画風画像の一方の画像を印刷する画像印刷制御装置に用いられる画像印刷制御方法において、
前記一方の画像の画像領域のうち、香り付けを希望する一部画像領域がユーザ指定に基づいて指定されると、この指定された一部画像領域を香り付け領域として設定する香り付け領域設定ステップと、
前記一方の画像の画像領域を印刷材料にて印刷させるように制御する一方で、前記香り付け領域設定ステップによって設定された香り付け領域を香料にて印刷させるように制御する印刷制御ステップと、
を備えることを特徴とする画像印刷制御方法。
＜請求項３＞
撮影画像または当該撮影画像から変換された絵画風画像の一方の画像を表示させる表示制御手段と、
この表示制御手段の制御により表示されている画像の中に存在する香り発生対象の名称と色とが指定されると、この指定された香り発生対象の名称に対応する香りの種類と指定された香り発生対象の色に対応する香り付け領域とを設定する香り付け領域設定手段と、
前記表示制御手段の制御により表示されている画像の画像領域を印刷材料にて印刷させるように制御する一方で、前記香り付け領域設定手段によって設定された香り付け領域を当該香り付け領域設定手段によって設定された香料にて印刷させるように制御する印刷制御手段と、
を備えることを特徴とする画像印刷制御装置。
＜請求項４＞
撮影画像または当該撮影画像から変換された絵画風画像の一方の画像を印刷する画像印刷制御装置に用いられる画像印刷制御方法において、
前記一方の画像を表示させる表示制御ステップと、
この表示ステップにおいて表示されている画像の中に存在する香り発生対象の名称と色とが指定されると、この指定された香り発生対象の名称に対応する香りの種類と指定された香り発生対象の色に対応する香り付け領域とを設定する香り付け領域設定ステップと、
前記表示制御ステップにおいて表示されている画像の画像領域を印刷材料にて印刷させるように制御する一方で、前記香り付け領域設定ステップによって設定された香り付け領域を当該香り付け領域設定ステップによって設定された香料にて印刷させるように制御する印刷制御ステップと、
を備えることを特徴とする画像印刷制御方法。
＜請求項５＞
撮影画像の画像領域のうち、香り付けを希望する一部画像領域をユーザが指定可能な操作手段と、
前記操作手段によるユーザ指定に基づいて前記一部画像領域を香り付け領域として設定する香り付け領域設定手段と、
前記画像領域を印刷材料にて印刷させるように制御する一方で、前記香り付け領域設定手段によって設定された香り付け領域である前記一部画像領域を香料にて印刷させるように制御する印刷制御手段と、
を備えることを特徴とする画像印刷制御装置。
＜請求項６＞
撮影画像を絵画風画像に変換する絵画風変換処理手段と、
前記撮影画像または前記絵画風画像を表示させる表示制御手段とを備え、
前記表示制御手段によって表示された前記撮影画像または前記絵画風画像の画像領域のうち、香り付けを希望する一部画像領域をユーザが指定可能な操作手段と、
前記操作手段から指定された前記一部画像領域を香り付け領域として設定する香り付け領域設定手段と、
前記画像領域を印刷材料にて印刷させるように制御する一方で、前記香り付け領域設定手段によって設定された香り付け領域である前記一部画像領域を香料にて印刷させるように制御する印刷制御手段と、
を備えることを特徴とする画像印刷制御装置。
＜請求項７＞
前記操作手段は、前記表示制御手段の制御により表示された前記撮影画像または前記絵画風画像の中の一部を指示することによって前記一部画像領域の指定を行うように構成されていることを特徴とする請求項６に記載の画像印刷制御装置。
＜請求項８＞
前記操作手段は、前記表示制御手段の制御により表示された前記撮影画像または前記絵画風画像の中に含まれる色を指定するように構成され。
前記香り付け領域設定手段は、前記操作手段からの指定に基づいて前記色に対応する領域を香り付け領域として設定することを特徴とする請求項６または７に記載の画像印刷制御装置。
＜請求項９＞
前記印刷制御手段は、複数種の香り発生物に対応する香料を個別に印刷させるように構成され、
前記操作手段は、前記香り発生物を指定可能に構成され、
前記香り付け領域設定手段は、前記操作手段からの指定に基づいて前記香料の種類を設定することを特徴とする請求項８に記載の画像印刷制御装置。
＜請求項１０＞
コーティング剤を付着させるコーティング剤付着制御手段を備え、
前記コーティング剤付着制御手段は、香り付け領域に付着させた香料の上に前記コーティング剤を付着させることを特徴とする請求項１、３、５から９いずれか一項に記載の画像印刷制御装置。
【符号の説明】
【００５３】
１００  画像印刷制御装置
１１２  香り付け領域設定部
１１３  絵画風変換処理部
１１４  印刷制御部
１１５  表示制御部
１４０  操作部
【図１】
2012245726.tif 000003
【図２】
2012245726.tif 000004
【図３】
2012245726.tif 000005
【図４】
2012245726.tif 000006
【図５】
2012245726.tif 000007
【図６】
2012245726.tif 000008
【図７】
2012245726.tif 000009
【図８】
2012245726.tif 000010
【図９】
2012245726.tif 000011
【図１０】
2012245726.tif 000012
【図１１】
2012245726.tif 000013
【図１２】
2012245726.tif 000014
【図１３】
2012245726.tif 000015
【図１４】
2012245726.tif 000016
【図１５】
2012245726.tif 000017
【図１６】
2012245726.tif 000018
【図１７】
2012245726.tif 000019
【図１８】
2012245726.tif 000020
【図１９】
2012245726.tif 000021
【図２０】
2012245726.tif 000022